(57)【要約】【課題】発注書と送り状との対応付けを容易に行う。【解決手段】発注主端末において作成された贈答先データ、贈主データ、メッセージデータ、添付写真データ等は、販売センタの管理コンピュータを介して店舗端末に送信される。店舗端末では、これらデータに基づいて、プリンタを介して用紙Ｐ１に対して印刷が行われ、発注書４０が作成される。発注書４０は、メッセージカード部４２と発注書部４５とを備える。店舗では、発注書部４５に印刷されている商品名４５ｃや商品写真４５ｄ等が閲覧されることにより、フラワーギフトが作成される。そして、その後、発注書部４５のメッセージカード部４２がミシン目４７において切り取られ、フラワーギフトに添付される。贈答先は、フラワーギフトを受領すると、メッセージカード部４２に印刷されているメッセージ文４２ａ等が閲覧し、発注主からのメッセージを確認する。【選択図】      図４
2004291487.tif 000002
【特許請求の範囲】
【請求項１】
品物の生産を発注するための発注情報に基づく印刷がなされた発注情報印刷媒体と、
前記発注情報印刷媒体と同一平面上に位置し、前記品物の発注主から前記品物の贈答先へ伝えるメッセージに関するメッセージ情報に基づく印刷がなされたメッセージ情報印刷媒体と、
前記発注情報印刷媒体と前記メッセージ情報印刷媒体とをお互いに分離可能に接続する接続手段と
を備えたことを特徴とする発注書。
【請求項２】
請求項１に記載の発注書において、
前記メッセージ情報印刷媒体には、さらに、前記贈答先から前記発注主に返信するための通信用紙の書式情報に基づいた印刷がなされていることを特徴とする発注書。
【請求項３】
請求項１又は２に記載の発注書において、
前記発注情報印刷媒体と前記メッセージ情報印刷媒体とは、一体に形成され、
前記接続手段は、前記発注情報印刷媒体と前記メッセージ情報印刷媒体との境界線上に設けられているミシン目であることを特徴とする発注書。
【請求項４】
請求項１又は２に記載の発注書において、
お互いに非平行となる少なくとも２本のミシン目によって複数の印刷領域を区画形成する区画印刷媒体を備え、
前記発注情報印刷媒体と前記メッセージ情報印刷媒体は、前記複数の印刷領域の少なくとも１つに対して、前記発注情報、あるいは、前記メッセージ情報に基づく印刷が行われることによりそれぞれ形成され、
前記接続手段は、前記ミシン目であることを特徴とする発注書。
【請求項５】
請求項１〜４のいずれか１つに記載の発注書において、
前記メッセージ情報印刷媒体は、折り目が設けられていることを特徴とする発注書。
【請求項６】
請求項１〜５のいずれか１つに記載の発注書において、
前記メッセージ情報印刷媒体のうち、前記メッセージ情報に基づく印刷がなされた部分を被覆する被覆手段を備えたことを特徴とする発注書。
【請求項７】
発注主端末と、同発注主端末に接続されている管理コンピュータと、同管理コンピュータに接続されている店舗端末と、同店舗端末に接続されている印刷手段とを備えた印刷システムにおいて、
前記管理コンピュータは、
前記発注主端末から、品物の生産を発注するための発注情報を受信する手段と、
前記発注主端末から、前記品物の贈答先へと伝えるメッセージに関するメッセージ情報を受信する手段と、
前記発注情報と前記メッセージ情報とを前記店舗端末に送信する手段と
を備え、
前記店舗端末は、
前記発注情報と前記メッセージ情報とに基づいて印刷データを作成し、同印刷データに基づいて前記印刷手段を介して印刷媒体に対して印刷を行う手段を備えたことを特徴とする印刷システム。
【請求項８】
請求項７に記載の印刷システムにおいて、
前記印刷媒体は、
発注情報印刷媒体と、
同発注情報印刷媒体に対して隣接し、前記発注情報印刷媒体と同一平面上に位置するメッセージ情報印刷媒体と、
前記発注情報印刷媒体と前記メッセージ情報印刷媒体とをお互いに分離可能に接続する接続手段と
を備え、
前記印刷データは、
前記発注情報印刷媒体に、前記発注情報に基づいた印刷を行うとともに、
前記メッセージ情報印刷媒体に、前記メッセージ情報に基づいた印刷を行うためのデータであることを特徴とする印刷システム。
【請求項９】
発注主端末と、同発注主端末に接続されている管理コンピュータと、同管理コンピュータに接続されている店舗端末と、同店舗端末に接続されている印刷手段とを備えた印刷システムを用いて、印刷媒体に対して印刷を行う印刷方法において、
前記管理コンピュータが、前記発注主端末から、品物の生産を発注するための発注情報を受信する段階と、
前記管理コンピュータが、前記発注主端末から、前記品物の贈答先へと伝えるメッセージに関するメッセージ情報を受信する段階と、
前記管理コンピュータが、前記発注情報と前記メッセージ情報とを前記店舗端末に送信する段階と、
前記店舗端末が、前記発注情報と前記メッセージ情報とに基づいて印刷データを作成し、前記印刷手段に送信する段階と、
前記印刷手段が、前記印刷データに基づいて前記印刷媒体に対して印刷を行う段階と
を備えたことを特徴とする印刷方法。
【発明の詳細な説明】
【０００１】
【発明の属する技術分野】
本発明は、発注書、印刷システム及び印刷方法に関する。
【０００２】
【従来の技術】
従来から、贈物を贈るときには、贈物と一緒に、メッセージカード等の送り状を添付することが行われていた。そして、このような送り状を贈物に添付する方法としては、送り状を贈物の包装の中に入れて、贈物と一緒に贈答先に届ける方法などが採用されていた。
【０００３】
ところで、近年、インターネット等のネットワークの普及により、販売者が発注主からネットワークを介して贈物の発注を受け、発注主が指定した贈答先に贈物を配送することが行われていた。そして、このような場合には、贈物の手配が、販売者にて行われ、発注主が贈物を実際に見ることなく贈答先に届けられることが多くなっていた。従って、発注主が贈物の包装の中に送付状を入れるという作業が難しくなっていた。
【０００４】
そこで、上記問題点を解決するために、贈物の配送段階において、贈物の配送と送り状の配送とを一括して行うシステムについて提案されていた（例えば、特許文献１参照。）。詳しくは、この特許文献１に記載のシステムは、発注主が使用するユーザー端末と、贈物の販売者が使用する販売者端末と、宅配便会社に設けられている宅配便会社端末と、宅配便会社端末に設けられた送り状印刷機とを備えていた。
【０００５】
そして、宅配便会社端末は、ネットワークを介して、注文された贈物に関する情報、贈答先の住所等に関する情報、送り状に記載するメッセージ等に関する情報を受信し、これらの情報から贈答先への贈物の配送予定日時を割り出すようになっていた。また、宅配便会社端末は、送り状に関する情報に、割り出した配送予定日時を追加して、送り状を送り状印刷機から出力するようになっていた。そして、宅配便会社は、出力した送り状を、配送予定日時に、贈物に添付して贈答先に対して配送するようになっていた。以上により、宅配便会社が送り状の配送と贈物の配送とを一括して扱うことができるようになっていた。
【０００６】
【特許文献１】
特開２００１−３０６６６４号公報
【０００７】
【発明が解決しようとする課題】
ところで、上記のような贈物の種類の中には、花束等のフラワーギフトのように、発注主からの発注に基づいて生産される、受注生産品があった。そして、このような受注生産品については、受注生産を行った販売者自らが、贈物が完成後、贈物を贈答先へと届けることがあった。従って、上記のシステムを採用する場合には、販売者が、送り状印刷機を備え、その送り状印刷機から出力された送り状を、贈物に添付し、贈答先へ届けるという一連の作業が必要となっていた。
【０００８】
しかし、受注生産という複雑な作業をおこなっている販売者にとって、上記のように、送り状を印刷して、印刷した送り状を贈物に添付する、という作業は大きな負担となる可能性があった。従って、上記のような受注生産品に送り状を簡単に添付することができるシステムが望まれていた。
【０００９】
本発明は、上記問題を解決するためになされたものであって、その目的は、受注生産品に対して、送り状を容易に添付することができる発注書、印刷システム及び印刷方法を提供することにある。
【００１０】
【課題を解決するための手段】
本発明は、品物の生産を発注するための発注情報に基づく印刷がなされた発注情報印刷媒体と、前記発注情報印刷媒体と同一平面上に位置し、前記品物の発注主から前記品物の贈答先へ伝えるメッセージに関するメッセージ情報に基づく印刷がなされたメッセージ情報印刷媒体と、前記発注情報印刷媒体と前記メッセージ情報印刷媒体とをお互いに分離可能に接続する接続手段とを備えた。
【００１１】
従って、本発明によれば、品物の生産を行う店舗等に対してこの発注書を提供することによって、品物の生産に関する発注情報を提供することができる。また、品物が店舗等において発注情報に基づいて生産された後に、この発注書に備えられているメッセージ情報印刷媒体を分離し、品物に添付することで、品物に、発注主から贈答先へと伝えるメッセージを添付することができる。すなわち、店舗等においては、一枚の発注書によって、品物の生産を行うとともに、品物にメッセージを添付するこおとが可能となる。従って、店舗等において、品物に対してメッセージを対応づける作業が容易となる。
【００１２】
また、発注情報に基づいた印刷がなされる発注情報印刷媒体と、メッセージ情報に基づいた印刷がなされるメッセージ情報印刷媒体とが、同一平面上に位置しているため、発注情報に基づく印刷とメッセージ情報に基づく印刷とを一度に行うことが可能であり、発注書を作成する手間が軽減される。
【００１３】
さらに、発注情報印刷媒体と、メッセージ情報印刷媒体とは、お互いに分離可能に接続されており、品物の生産時には、発注情報印刷媒体とメッセージ情報印刷媒体とをまとめて扱うことができ、扱いが楽となる。また、生産後、贈答先において、メッセージが印刷されたメッセージ情報印刷媒体を、発注情報印刷媒体から分離することが可能であり、贈答先に対して、メッセージを美観上好ましい状態で提供することができる。
【００１４】
この発注書において、前記メッセージ情報印刷媒体には、さらに、前記贈答先から前記発注主に返信するための通信用紙の書式情報に基づいた印刷がなされている。
【００１５】
これによれば、このメッセージ情報印刷媒体を品物に添付して贈答先に提供することにより、贈答先は、品物を受領した後に、このメッセージ情報印刷媒体を使用して、発注主へと返信を行うことが可能となる。従って、贈答先において、発注主へ品物の受領の旨を連絡するために、ハガキや封筒といった、新たな通信用紙を用意する必要がなく、発注主への通信を容易に行うことができる。
【００１６】
この発注書において、前記発注情報印刷媒体と前記メッセージ情報印刷媒体とは、一体に形成され、前記接続手段は、前記発注情報印刷媒体と前記メッセージ情報印刷媒体との境界線上に設けられているミシン目である。
【００１７】
これによれば、発注情報印刷媒体とメッセージ情報印刷媒体とが一枚の印刷媒体により形成されているので、印刷手段による印刷をより容易に行うことができる。また、発注情報印刷媒体とメッセージ情報印刷媒体とがミシン目で区切られており、接続手段の構成を簡単なものとすることができる。
【００１８】
この発注書において、お互いに非平行となる少なくとも２本のミシン目によって複数の印刷領域を区画形成する区画印刷媒体を備え、前記発注情報印刷媒体と前記メッセージ情報印刷媒体は、前記複数の印刷領域の少なくとも１つに対して、前記配送情報、あるいは、前記メッセージ情報に基づく印刷が行われることによりそれぞれ形成され、前記接続手段は、前記ミシン目である。
【００１９】
これによれば、Ａ４サイズなど、汎用性の高いサイズを有する区画印刷媒体に、少なくとも２本のミシン目を形成するとともに、その表面に各種の印刷を行うことによって、簡単に発注書を作成することができる。従って、発注書の製造をより低コストに行うことができる。
【００２０】
この発注書において、前記メッセージ情報印刷媒体は、折り目が設けられている。
これによれば、品物が店舗等において発注情報に基づいて生産されるときに、メッセージが印刷されたメッセージ情報印刷媒体を、発注書から分離し、さらに、折り目において折りたたむことができるようになる。そして、折りたたんだメッセージ情報印刷媒体を品物に添付して、品物の贈答先に届けることによって、贈答先に対して、美観上より好ましいメッセージを提供することができる。
【００２１】
この発注書において、前記メッセージ情報印刷媒体のうち、前記メッセージ情報に基づく印刷がなされた部分を被覆する被覆手段を備えた。
これによれば、メッセージ情報印刷媒体の表面に印刷されているメッセージを被覆手段によって被覆することができるので、メッセージの機密性を高めることができる。また、品物を生産する段階や、品物を配達する段階等においてメッセージが記載されている部分の損傷や汚れ等を防ぐことができる。
【００２２】
本発明は、発注主端末と、同発注主端末に接続されている管理コンピュータと、同管理コンピュータに接続されている店舗端末と、同店舗端末に接続されている印刷手段とを備えた印刷システムにおいて、前記管理コンピュータは、前記発注主端末から、品物の生産を発注するための発注情報を受信する手段と、前記発注主端末から、前記品物の贈答先へと伝えるメッセージに関するメッセージ情報を受信する手段と、前記発注情報と前記メッセージ情報とを前記店舗端末に送信する手段とを備え、前記店舗端末は、前記発注情報と前記メッセージ情報とに基づいて印刷データを作成し、同印刷データに基づいて前記印刷手段を介して印刷媒体に対して印刷を行う手段を備えた。
【００２３】
従って、本発明によれば、発注主端末において作成された発注情報及びメッセージ情報が、管理コンピュータに送信され、管理コンピュータを介して、店舗端末に発注情報及びメッセージ情報が送信される。そして、店舗端末において発注情報及びメッセージ情報に基づいた印刷データが作成され、作成された印刷データに基づいて印刷媒体に対して印刷が行われる。
【００２４】
従って、店舗端末を有する店舗に対して、発注情報とメッセージとが両方印刷された印刷媒体を提供することができる。その結果、店舗では、この印刷媒体によって、品物を生産するための発注情報を得ることができるとともに、この印刷媒体を生産が完了した品物に対して添付することで、品物の贈答先に対してメッセージ情報を提供することができる。すなわち、１つの印刷媒体に、品物を生産等するために必要な発注情報と、贈主に対して伝えるためのメッセージ情報とが含まれているため、店舗においては、品物にメッセージ情報を添付する作業を容易に行うことができる。
【００２５】
この印刷システムにおいて、前記印刷媒体は、発注情報印刷媒体と、同発注情報印刷媒体に対して隣接し、前記発注情報印刷媒体と同一平面上に位置するメッセージ情報印刷媒体と、前記発注情報印刷媒体と前記メッセージ情報印刷媒体とをお互いに分離可能に接続する接続手段とを備え、前記印刷データは、前記発注情報印刷媒体に、前記発注情報に基づいた印刷を行うとともに、前記メッセージ情報印刷媒体に、前記メッセージ情報に基づいた印刷を行うためのデータである。
【００２６】
これによれば、発注情報に基づいた印刷がなされる発注情報印刷媒体と、メッセージ情報に基づいた印刷がなされるメッセージ情報印刷媒体とが、同一平面上に位置しているため、発注情報に基づく印刷とメッセージ情報に基づく印刷とを一度に行うことが可能であり、手間が軽減される。
【００２７】
さらに、発注情報印刷媒体と、メッセージ情報印刷媒体とは、お互いに分離可能に接続されており、発注情報印刷媒体とメッセージ情報印刷媒体とをまとめて扱うことができ、扱いが楽となる。また、メッセージが印刷されたメッセージ情報印刷媒体を、発注情報印刷媒体から分離することが可能であり、メッセージを品物の贈答先に対して美観上好ましい状態で提供することができる。
【００２８】
本発明は、発注主端末と、同発注主端末に接続されている管理コンピュータと、同管理コンピュータに接続されている店舗端末と、同店舗端末に接続されている印刷手段とを備えた印刷システムを用いて、印刷媒体に対して印刷を行う印刷方法において、前記管理コンピュータが、前記発注主端末から、品物の生産を発注するための発注情報を受信する段階と、前記管理コンピュータが、前記発注主端末から、前記品物の贈答先へと伝えるメッセージに関するメッセージ情報を受信する段階と、前記管理コンピュータが、前記発注情報と前記メッセージ情報とを前記店舗端末に送信する段階と、前記店舗端末が、前記発注情報と前記メッセージ情報とに基づいて印刷データを作成し、前記印刷手段に送信する段階と、前記印刷手段が、前記印刷データに基づいて前記印刷媒体に対して印刷を行う段階とを備えた。
【００２９】
従って、本発明によれば、発注主端末において作成された発注情報及びメッセージ情報が、管理コンピュータに送信され、管理コンピュータを介して、店舗端末に発注情報及びメッセージ情報が送信される。そして、店舗端末において発注情報及びメッセージ情報に基づいた印刷データが作成され、作成された印刷データに基づいて印刷媒体に対して印刷が行われる。
【００３０】
従って、店舗端末を有する店舗に対して、発注情報とメッセージとが両方印刷された印刷媒体を提供することができる。その結果、店舗では、この印刷媒体によって、品物を生産するための発注情報を得ることができるとともに、この印刷媒体を生産が完了した品物に対して添付することで、品物の贈答先に対してメッセージ情報を提供することができる。すなわち、１つの印刷媒体に、品物を生産等するために必要な発注情報と、贈主に対して伝えるためのメッセージ情報とが含まれているため、店舗においては、品物にメッセージ情報を添付する作業を容易に行うことができる。
【００３１】
【発明の実施の形態】
以下、本発明を具体化した一実施形態を図１〜図４に従って説明する。
図１は本実施形態の印刷システムの概略構成図を示す。図１に示すように、印刷システム１１は、発注主端末１２と、店舗端末１３と、販売センタ１４とを備えている。発注主端末１２は、発注主が所有する端末であり、販売センタ１４の管理コンピュータ１５と、インターネットＩを介して接続されている。
【００３２】
そして、発注主端末１２は、インターネットＩを介して販売センタ１４から各種情報を受信し、画面１２ａ上に画像を表示させたり、マウス１２ｂやキーボード１２ｃ等を介して入力した各種情報を、販売センタ１４に送信したりすることが可能となっている。なお、図１においては、発注主端末１２は１つのみ図示しているが、販売センタ１４に対して複数接続されていてもよい。
【００３３】
店舗端末１３は、花束等の品物としてのフラワーギフトの受注生産や販売、配達を行う店舗に備えられている端末であり、販売センタ１４の管理コンピュータ１５とインターネットＩを介して接続されている。そして、店舗端末１３は、インターネットＩを介して販売センタ１４から各種情報を受信し、画面１３ａ上に画像を表示させたり、マウス１３ｂやキーボード１３ｃ等を介して入力した各種情報を、販売センタ１４に送信したりすることが可能となっている。なお、図１においては、店舗端末１３は１つのみ図示しているが、販売センタ１４に対して複数接続されていてもよい。
【００３４】
また、店舗端末１３は、プリンタ１６と接続されており、プリンタ１６は、店舗端末１３が前記販売センタ１４の管理コンピュータ１５から受信したデータに基づいて用紙Ｐ１に対して印刷を行うことが可能となっている。
【００３５】
前記販売センタ１４は、管理コンピュータ１５、商品情報記憶部１７、ウェブページ記憶部１８、注文情報記憶部２１、発注書書式データ記憶部２２を備える。そして、これら各記憶部１７，１８，２１，２２は、管理コンピュータ１５に接続されている。
【００３６】
商品情報記憶部１７には、前記店舗端末１３を所有する店舗にて作成可能なフラワーギフトに関する商品情報が記憶されており、本実施形態では、商品情報は、商品名データ、商品写真データ、価格データによって構成されている。商品名データは、商品の名称に関するデータであり、「花束Ａ」、「アレンジメント」といったデータである。また、商品写真データは、商品の外観などを表す写真や絵などの画像データである。さらに、価格データは、商品の価格を表すデータであり、「５０００円」、「３０００円」といったデータである。そして、これらのデータは、販売センタ１４が格納するものであって、適宜追加や削除、更新が行われるようになっている。
【００３７】
ウェブページ記憶部１８には、管理コンピュータ１５が、発注主端末１２からのアクセス要求に応じて発注主端末１２に送信するウェブページデータ記憶されている。なお、本実施形態においては、ウェブページデータは、ＨＴＭＬ（Ｈｙｐｅｒｔｅｘｔ  Ｍａｒｋｕｐ  Ｌａｎｇｕａｇｅ  ）を用いて作成されており、発注主端末１２の画面１２ａには、これらのウェブページデータに基づいて、図２及び図３に示すようなウェブページ２５，２６が表示されるようになっている。
【００３８】
なお、図２に示すウェブページ２５には、前記商品情報記憶部１７に記憶されている商品情報に基づいた表示が行われる。詳しくは、このウェブページ２５には、商品写真データに基づく画像２８、商品名データに基づく文字２９、価格データに基づく文字３１が複数表示される。また、これら画像２８及び文字２９，３１の右横には、チェックボックス３３が表示されており、このチェックボックス３３が前記マウス１２ｂやキーボード１２ｃによってチェックされることにより、フラワーギフトが選択される。さらに、ウェブページ２５の下部にはボタン３４が表示されており、このボタン３４が前記マウス１２ｂやキーボード１２ｃによって選択されることで、前記チェックボックス３３によるフラワーギフトの選択が確定される。そして、確定されたフラワーギフトに関する商品データが、発注主端末１２から管理コンピュータ１５に送信される。
【００３９】
また、図３に示すウェブページ２６には、入力欄３６ａ〜３６ｅが表示されており、これらの入力欄３６ａ〜３６ｅに前記マウス１２ｂやキーボード１２ｃを介して入力が行われることで、フラワーギフトの贈答先の住所や名前、贈答先へのメッセージ等に関する情報が入力される。そして、このウェブページ２６の下部には、ボタン３７が表示されており、このボタン３７が前記マウス１２ｂやキーボード１２ｃによって選択されることで、前記入力欄３６ａ〜３６ｅの入力内容が確定される。そして、確定された入力情報が発注主端末１２から管理コンピュータ１５に送信される。
【００４０】
図１に示すように、注文情報記憶部２１には、発注主端末１２から受信した各種情報が注文情報として記憶されている。詳しくは、注文情報は、本実施形態では、識別番号データ、商品名データ、商品写真データ、価格データ、贈答先データ、発注主データ、メッセージデータ、添付写真データによって構成される。なお、本実施形態では、商品名データ、商品写真データ、価格データ、贈答先データ、発注主データによって発注情報が構成される。また、メッセージデータと添付写真データによってメッセージ情報が構成される。
【００４１】
識別番号データは、各注文情報を識別するためのデータであり、例えば、「０１２３４５６７８９」といった番号により構成されるデータである。そして、この識別番号データは、注文情報記憶部２１に新たな注文情報が追加されるたびに管理コンピュータ１５によって自動的に作成され、記憶される。
【００４２】
商品名データ、商品写真データ及び価格データは、前記ウェブページ２５において、チェックボックス３３がチェックされた商品の商品名、商品の外観写真及び価格に関するデータである。そして、この商品名データ、商品写真データ及び価格データは、チェックボックス３３がチェックされ、ボタン３４が選択されることにより、発注主端末１２から管理コンピュータ１５に送信されて記憶される。
【００４３】
贈答先データは、フラワーギフトが届けられる贈答先に関するデータであり、贈答先の住所を表す住所データと、贈答先の名前を表す贈答先名前データとによって構成される。そして、これら住所データ及び贈答先名前データは、発注主端末１２において、前記ウェブページ２６の入力欄３６ａ，３６ｂに贈答先の住所や名前が入力され、ボタン３７が選択されることにより作成される。そして、作成された贈答先データは、管理コンピュータ１５に送信されて記憶される。
【００４４】
発注主データとは、発注主に関するデータであり、発注主の名前を表すデータとなっている。そして、この発注主データは、発注主端末１２において、前記ウェブページ２６の入力欄３６ｃに発注主の名前が入力され、ボタン３７が選択されることにより作成される。そして、作成された発注主データは、管理コンピュータ１５に送信されて記憶される。
【００４５】
メッセージデータとは、フラワーギフトを贈る際に発注主から贈答先に対して伝えるためのメッセージに関するデータである。そして、このメッセージデータは、発注主端末１２において、前記ウェブページ２６の入力欄３６ｄにメッセージが入力され、ボタン３７が選択されることにより作成される。そして、作成されたメッセージデータは、管理コンピュータ１５に送信されて記憶される。
【００４６】
添付写真データは、前記メッセージデータのメッセージに添えるための写真や絵に関する画像データである。そして、本実施形態においては、この添付写真データは、発注主端末１２に保存されている画像データに基づいて作成されるものであり、発注主端末１２において、前記ウェブページ２６の入力欄３６ｅに、画像データの保存場所が入力され、ボタン３７が選択されることにより作成される。詳しくは、例えば、「ｃ：写真．ｊｐｅｇ」というように、発注主端末１２における画像データの保存場所を入力欄３６ｅに入力することで、その画像データのコピーが発注主端末１２から管理コンピュータ１５へと送信され、添付写真データとして注文情報記憶部２１に記憶される。
【００４７】
発注書書式データ記憶部２２には、発注書書式データが記憶されている。発注書書式データとは、発注書を作成するための書式に関するデータである。なお、発注書とは、前記店舗端末１３を所有する店舗に対して、フラワーギフトの作成及び配達の発注を行うためのものである。そして、管理コンピュータ１５が、この発注書書式データと、前記注文情報記憶部２１の注文情報とを店舗端末１３に送信すると、店舗端末１３は、受信した発注書書式データと注文情報とに基づいて、前記プリンタ１６を介して用紙Ｐ１に対して印刷を行うようになっている。そして、これにより、図４に示すような発注書４０が作成されるようになっている。なお、この発注書書式データは、前記販売センタ１４が格納するものであって、適宜追加や削除、更新が行われるようになっている。
【００４８】
また、図１に示すように、管理コンピュータ１５はプログラム記憶部１５ａを備え、このプログラム記憶部１５ａに記憶されている各種プログラムに従って、各種演算処理動作を実行する。なお、各種プログラムとしては、ウェブページ送信プログラム、注文情報取得プログラム、発注データ送信プログラムが記憶されている。
【００４９】
ウェブページ送信プログラムは、発注主端末１２からの要求に基づいて、前記商品情報記憶部１７の商品情報、及び、前記ウェブページ記憶部１８のウェブページデータを発注主端末１２に送信するためのプログラムである。すなわち、管理コンピュータ１５は、発注主端末１２から要求を受けると、ウェブページ送信プログラムに従って、商品情報及びウェブページデータを発注主端末１２に送信する。その結果、発注主端末１２の画面１２ａ上には、前記ウェブページ２５，２６（図２及び図３参照）が表示されるようになる。
【００５０】
注文情報取得プログラムは、発注主端末１２から注文情報を受信すると、受信した注文情報を注文情報記憶部２１に記憶させるためのプログラムである。すなわち、管理コンピュータ１５は、発注主端末１２からウェブページ２５，２６を介して、商品名データ、商品写真データ、価格データ、贈答先データ、発注主データ、メッセージデータ、添付写真データを受信すると、注文情報取得プログラムに従って、新たな識別番号データを付与する。そして、注文情報として注文情報記憶部２１に記憶させる。すなわち、管理コンピュータ１５は、この注文情報取得プログラムによって、発注主端末１２から、フラワーギフトを贈答先に配送するための贈答先データ、発注主データを受信する手段として機能する。また、発注主端末１２から、フラワーギフトの贈答先へと伝えるメッセージに関するメッセージデータ及び添付写真データを受信する手段として機能する。さらに、管理コンピュータ１５は、この注文情報取得プログラムによって、発注主端末１２から発注主のフラワーギフトの商品名データ、商品写真データ、価格データを受信する手段としても機能する。
【００５１】
発注データ送信プログラムは、新たな注文情報が注文情報記憶部２１に記憶されると、記憶された注文情報と、発注書書式データ記憶部２２に記憶されている発注書書式データとを、インターネットＩを介して店舗端末１３に送信するためのプログラムである。すなわち、管理コンピュータ１５は、新たな注文情報を注文情報記憶部２１に記憶させると、発注データ送信プログラムに従って、記憶した注文情報と、発注書書式データ記憶部２２の発注書書式データとを、インターネットＩを介して店舗端末１３に送信する。すなわち、管理コンピュータ１５は、この発注データ送信プログラムによって、店舗端末１３に対して、注文情報と発注書書式データとを送信する手段として機能する。
【００５２】
なお、店舗端末１３は、本実施形態では、印刷プログラムを記憶しており、発注書書式データと注文情報とを受信すると、この印刷プログラムに従って、これら発注書書式データと注文情報とに基づいて、印刷データを作成し、前記プリンタ１６を介して用紙Ｐ１に対して印刷を行う。すると、図４に示すような発注書４０が作成されるようになっている。すなわち、店舗端末１３は、この印刷プログラムによって、注文情報と発注書書式データとを受信すると、印刷データを作成し、プリンタ１６を介して用紙Ｐ１に対して印刷を行う手段として機能する。
【００５３】
なお、本実施形態においては、前記印刷プログラムに従って、発注書４０が印刷されるようにした。これを、店舗の従業員等が、店舗端末１３に発注書書式データや注文情報が送信されることに気づき、それによって、店舗端末１３のマウス１３ｂやキーボード１３ｃが操作されることにより、その操作信号に基づいて印刷データを作成され、発注書４０が印刷されるようにしてもよい。
【００５４】
また、このとき、管理コンピュータ１５が、注文情報における贈答先データ等に基づいて、フラワーギフトの製作と配達に最も適している店舗端末１３を検索し、その検索した店舗端末１３に対して発注書書式データと注文情報とを送信するようにしてもよい。このようにすれば、贈答先の住所に対して最寄りの店舗において発注書４０が印刷されるようになり、配達の手間を軽減させることができる。なお、この場合には、販売センタ１４は、店舗端末１３の住所に関するデータを記憶する記憶手段を有するようにする。
【００５５】
次に、前記店舗端末１３が、プリンタ１６を介して印刷する前記発注書４０について、図４に従って、詳しく説明する。
図４に示すように、発注書４０は、用紙Ｐ１上に印刷が行われることによって作成される。そして、用紙Ｐ１は、本実施形態では、長方形であり、例えば、普通紙等によって形成されている。そして、用紙Ｐ１は、左側から順に、メッセージ情報印刷媒体としてのメッセージカード部４２と発注情報印刷媒体としての発注書部４５とを備える。なお、メッセージカード部４２と発注書部４５とは、接続手段としてのミシン目４７を介して接続されている。
【００５６】
そして、店舗端末１３が、管理コンピュータ１５から受信した注文情報と発注書書式データとに基づいて、印刷データを作成し、その印刷データに基づいてプリンタ１６を介して用紙Ｐ１上に印刷を行うことにより、発注書４０が完成される。
【００５７】
詳しくは、用紙Ｐ１のうち、メッセージカード部４２に該当する部分には、メッセージ文４２ａと、発注主写真４２ｂとが印刷される。メッセージ文４２ａは、前記注文情報記憶部２１のメッセージデータに基づいたものであり、発注主写真４２ｂは、添付写真データに基づいたものとなっている。つまり、メッセージカード部４２には、発注主から贈答先へのメッセージに関する文字や写真が印刷されており、発注主から贈答先へとメッセージを伝えるためのものとなっている。
【００５８】
また、用紙Ｐ１のうち、発注書部４５に該当する部分には、宛先文４５ａや識別番号４５ｂ、商品名４５ｃ、商品写真４５ｄ、商品金額４５ｅ等が印刷される。宛先文４５ａは、前記注文情報記憶部２１の発注主データと贈答先データとに基づいたものであり、識別番号４５ｂは、識別番号データに基づいたものとなっている。また、商品名４５ｃ、商品写真４５ｄ、商品金額４５ｅは、前記注文情報記憶部２１の商品名データ、商品写真データ、価格データに基づいた物となっている。
【００５９】
そして、店舗端末１３を所有する店舗においては、この発注書部４５に印刷された宛先文４５ａ等に基づいて、フラワーギフトの配達に必要な情報が確認されるようになっている。また、この発注書部４５に印刷されている商品名４５ｃ、商品写真４５ｄ、商品金額４５ｅに基づいて、フラワーギフトの製作が行われるようになっている。
【００６０】
次に、上記のように構成された、印刷システム１１及び発注書４０の作用について説明する。
まず、発注主が、インターネットＩを介して接続されている販売センタ１４を介して、フラワーギフトを発注しようとする場合には、図１に示すように、まず、発注主は、発注主端末１２を介して、管理コンピュータ１５に、アクセス要求の信号を送信する。管理コンピュータ１５は、発注主端末１２からのアクセス要求を受信すると、前記ウェブページ送信プログラムに従って、商品情報記憶部１７の商品情報、及び、ウェブページ記憶部１８のウェブページデータを、発注主端末１２に対して送信する。
【００６１】
発注主端末１２において、商品情報及びウェブページデータが受信されると、発注主端末１２の画面１２ａ上には、まず、図２に示すようなウェブページ２５が表示される。発注主は、このウェブページ２５を見て、フラワーギフトとして送りたい商品を探し出す。そして、マウス１２ｂ及びキーボード１２ｃにより、該当する商品の横にあるチェックボックス３３が選択される。
【００６２】
そして、発注主によって、このウェブページ２５のボタン３４が選択されると、選択された商品に関する商品名データ、商品写真データ及び価格データが、管理コンピュータ１５に送信される。管理コンピュータ１５は、商品名データ、商品写真データ及び価格データを受信すると、注文情報取得プログラムに従って、まず、識別番号データを作成し、識別番号データと、受信した商品名データ、商品写真データ及び価格データを、注文情報記憶部２１に記憶させる。
【００６３】
続いて、管理コンピュータ１５は、ウェブページ送信プログラムに従って、発注主端末１２に、図３に示すようなウェブページ２６を表示させるためウェブページデータを送信する。すると、発注主端末１２の画面１２ａ上には、ウェブページ２６が表示され、発注主によってマウス１２ｂ及びキーボード１２ｃが操作され、入力欄３６ａ〜３６ｅに対して入力が行われる。
【００６４】
そして、ウェブページ２６のボタン３７が選択されることで、入力欄３６ａ，３６ｂに基づく贈答先データ、入力欄３６ｃに基づく発注主データ、入力欄３６ｄに基づくメッセージデータ、入力欄３６ｅに基づく添付写真データが、管理コンピュータ１５に送信される。
【００６５】
管理コンピュータ１５は、贈答先データ、発注主データ、メッセージデータ、添付写真データを受信すると、注文情報取得プログラムに従って、受信した各データを、対応する前記識別番号データ、商品名データ、価格データと関連付け、注文情報として注文情報記憶部２１に記憶させる。そして、管理コンピュータ１５は、注文情報を注文情報記憶部２１に記憶させると、前記発注データ送信プログラムに従って、注文情報と、発注書書式データ記憶部２２の発注書書式データとを、インターネットＩを介して店舗端末１３に送信する。
【００６６】
店舗端末１３は、注文情報と、発注書書式データとを受信すると、受信した注文情報と発注書書式データとに基づいて、印刷データを作成し、作成した印刷データに基づいて、プリンタ１６を介して用紙Ｐ１上に印刷を行う。すると、図４に示すような発注書４０が作成される。そして、店舗端末１３を有する店舗において、発注書４０が閲覧され、まず、商品名４５ｃ、商品写真４５ｄ、商品金額４５ｅ等に基づいて、フラワーギフトの製作が行われる。
【００６７】
そして、フラワーギフトが完成すると、発注書４０のミシン目４７を介して、メッセージカード部４２が切り取られる。そして、完成したフラワーギフトに、メッセージカード部４２が添えられる。その後、発注書４０の発注書部４５に印刷されている宛先文４５ａに基づいて、フラワーギフトが贈答先に配達される。
【００６８】
すなわち、発注主がインターネットＩを介してフラワーギフトの注文を行うと、店舗端末１３が備えられている店舗において、プリンタ１６から発注書４０が印刷される。そして、この発注書４０には、フラワーギフトを作成するために必要な情報である商品名４５ｃ、商品写真４５ｄ、商品金額４５ｅと、フラワーギフトを配送するために必要な情報である宛先文４５ａが記載されている。また、発注書４０には、メッセージ文４２ａや発注主写真４２ｂが印刷されているメッセージカード部４２が含まれている。従って、発注書４０からメッセージカード部４２を切り取ることによって、簡単にフラワーギフトにメッセージカード部４２を添付することができる。
【００６９】
上記実施形態によれば、以下のような効果を得ることができる。
（１）上記実施形態では、発注書４０は、メッセージカード部４２と発注書部４５とを備えるようにした。従って、店舗端末１３を有する店舗において、発注主から発注されたフラワーギフトの作成を行うときに、この発注書４０の発注書部４５に基づいて、フラワーギフトを作成することができる。また、店舗において、フラワーギフトの作成完了後、発注書４０のメッセージカード部４２をフラワーギフトに添付することで、フラワーギフトに発注主から贈答先へのメッセージを添付することができる。
【００７０】
すなわち、店舗では、一枚の発注書４０によって、フラワーギフトの作成を行うとともに、フラワーギフトにメッセージの添付を行うことが可能となる。従って、店舗において、フラワーギフトに対してメッセージを対応づける作業が容易となる。
【００７１】
（２）上記実施形態では、メッセージカード部４２と発注書部４５とは、ミシン目４７を介して分離可能に接続されるようにした。従って、フラワーギフトを作成するときには、メッセージカード部４２と発注書部４５とが接続されたままとすることができ、発注書４０の扱いが楽となる。また、フラワーギフト完成後、発注書４０から、メッセージカード部４２のみを分離して添付することが可能であり、贈答先に対して好ましい美観を有するメッセージカード部４２を簡単に提供することができる。
【００７２】
（３）上記実施形態では、店舗においてフラワーギフトが完成すると、発注書部４５のうちのメッセージカード部４２のみがフラワーギフトに添付されるようにした。従って、フラワーギフトが贈答先に渡っても、発注書４０のうちの発注書部４５は、店舗等において、フラワーギフトの作成の確認書として保持することが可能となり、確認書等を新たに作成する手間が軽減される。さらに、発注書４０のメッセージカード部４２が切り取られているか否かで、フラワーギフトの納品が完了したか否かを判断することも可能となる。
【００７３】
（４）上記実施形態では、メッセージカード部４２と発注書部４５とは、１つの用紙Ｐ１により形成されるようにした。従って、プリンタ１６にて、用紙Ｐ１に印刷を行って発注書４０を作成するときには、１回の印刷で発注書４０を作成することができ、発注書４０の印刷を容易に行うことができる。
【００７４】
（５）上記実施形態では、発注主端末１２において、ウェブページ２５，２６に従って入力が行われることで、発注主が所望するフラワーギフトの商品名データ、商品写真データ、価格データ、贈答先データ、発注主データ、メッセージデータ、添付写真データが、販売センタ１４に送信されるようにした。そして、販売センタ１４の管理コンピュータ１５を介して、これら各種データが店舗端末１３に送信されることで、店舗端末１３において、これらのデータに基づいて、印刷データが作成されるようにした。そして、印刷データに基づいて、プリンタ１６を介して用紙Ｐ１への印刷が行われ、発注書４０が作成されるようにした。
【００７５】
従って、発注主が、インターネットＩを介してフラワーギフトの発注を行うことにより、そのフラワーギフトに、発注主の所望するメッセージが記載された発注書４０が添付されるようになる。すなわち、発注主は、フラワーギフトに直接接しなくても、店舗端末１３を有する店舗においてフラワーギフトに発注書４０が添付されることで、フラワーギフトに所望のメッセージを確実に添付することができる。
【００７６】
（６）上記実施形態においては、発注書４０のメッセージカード部４２は、文字によるメッセージ文４２ａだけでなく、発注主写真４２ｂも印刷されるようにした。従って、メッセージカード部４２の見栄えをより美しくすることができる。
【００７７】
なお、上記実施形態は以下のように変更してもよい。
・上記実施形態においては、メッセージカード部４２には、メッセージ文４２ａや発注主写真４２ｂを印刷するようにした。これを、図５に示すように、メッセージ文４２ａや発注主写真４２ｂに加えて、通信用紙としてのハガキの書式情報に基づいた表示５１が印刷されるようにしてもよい。そして、このハガキの書式情報に基づいた表示５１の部分のみ、ミシン目５２によって分離できるようにしてもよい。そして、このメッセージカード部４２をフラワーギフトに添付し、贈答先に届けるようにすれば、贈答先においてミシン目５２が切り取られることによって返信ハガキが得られるようになる。従って、贈答先において、発注主へのお礼状等を作成するための手間を軽減させることができる。
【００７８】
・上記実施形態においては、メッセージカード部４２は、用紙Ｐ１上にメッセージ文４２ａと発注主写真４２ｂとが印刷されることにより形成されるようにした。これを、図５及び図６に示すように、メッセージカード部４２に、折り目５３を設けるようにしてもよい。これにより、メッセージカード部４２には、折り目５３を挟んだ２つの領域が形成される。そして、図５に示すように、一方の領域５３ａにはメッセージ文４２ａを、他方の領域５３ｂには発注主写真４２ｂを印刷するようにしてもよい。
【００７９】
このようにすれば、フラワーギフト完成後、発注書４０から切り取られたメッセージカード部４２は、折り目５３にて２つ折りにすることができる。これにより、フラワーギフトの贈答先に、見栄えの良いメッセージカード部４２を提供することができる。
【００８０】
さらに、図６に示すように、メッセージカード部４２に折り目５３を設けたときに、折り目５３を挟んだ２つの領域の一方の領域５３ａにメッセージ文４２ａと発注主写真４２ｂとを印刷するようにし、他方の領域５３ｂを空白とするようにしてもよい。このようにすれば、フラワーギフト完成後、発注書４０から切り取られたメッセージカード部４２を、印刷されている面を内側にして折り目５３にて２つ折りにすることで、より見栄えの良いメッセージカード部４２をフラワーギフトの贈答先に対して提供することができる。
【００８１】
・上記実施形態においては、発注書４０のメッセージカード部４２は、配送時、そのメッセージ文４２ａや発注主写真４２ｂが外部に露出した状態となるようにした。これを、図７に示すように、メッセージカード部４２の表面を覆う被覆手段としての被覆紙５５等にて覆うようにしてもよい。そして、このような場合には、この被覆紙５５とメッセージカード部４２とを、離間可能に接続するようにする。例えば、剥離可能な接着剤にて被覆紙５５とメッセージカード部４２とを接着するようにしてもよい。このようにすれば、メッセージカード部４２に印刷されているメッセージ文４２ａや発注主写真４２ｂの内容について機密性を高めることができる。
【００８２】
なお、この被覆紙５５とメッセージカード部４２とは、一部分において離間不能に接続されているようにしてもよい。このようにすれば、メッセージカード部４２から剥離した被覆紙が散らからないようにすることができる。
【００８３】
また、メッセージカード部４２を、被覆手段としてのラミネートフィルム等によって被覆するようにしてもよい。このようにすれば、メッセージカード部４２の強度を高めたり、汚れや損傷を防いだりすることができる。
【００８４】
・上記実施形態においては、発注書４０は、メッセージカード部４２と発注書部４５とを、左から順に一列に並ぶようにして備えるようにした。これを、図８に示すように、１枚の区画印刷媒体としての用紙Ｐ２を、十字状にミシン目６１，６２を形成することによって４つの印刷領域６３，６４，６５，６６を形成するようにしてもよい。そして、それぞれに各種の印刷を行うことによって、発注書部４５、メッセージカード部４２、ハガキ部６８等を形成し、発注書７０とするようにしてもよい。このようにすれば、Ａ４サイズなど、汎用性の高いサイズを有する用紙Ｐ２に、十字状にミシン目６１，６２を形成するとともに、その表面に各種の印刷を行うことによって、発注書７０を作成することができる。従って、発注書７０の製造をより低コストに行うことができる。なお、ミシン目６１，６２は、お互いが非平行となるのであれば、十字状以外となるように交わるようにしてもよい。さらに、２本以上のミシン目を設けるようにしてもよい。
【００８５】
さらに、用紙Ｐ２として、ファイリング用の穴７１ａ，７１ｂ，７１ｃ，７１ｄが設けられたものを使用するようにしてもよい。このようにすれば、発注書７０を、ファイリング用の穴７１ａ〜７１ｄを備えたものとすることができる。そして、発注書７０から、ミシン目６１，６２を介して切り離された発注書部４５等を、ファイリングしやすいものとすることができる。
【００８６】
・上記実施形態においては、用紙Ｐ１を構成するメッセージカード部４２は、普通紙により形成されるようにした。これを、普通紙以外の材料により形成されるようにしてもよい。例えば、感熱紙等によって形成されるようにしてもよい。また、メッセージカード部４２は、第１の用紙と第２の用紙とを重ね合わせて、お互いを剥離可能な接着剤によって貼り合わせるようにすることにより形成されるようにしてもよい。そして、この接着剤は、第１の用紙と第２の用紙とを剥離させたときに、第１の用紙の裏面に粘着性を持たせるような材料とするようにしてもよい。そして、第１の用紙の表面に、前記メッセージ文４２ａ及び発注主写真４２ｂ等を印刷するようにしてもよい。このようにすれば、第１の用紙をシールとして扱うことが可能となり、この第１の用紙を第２の用紙から剥離した後に、台紙等に貼り付けることにより、より見栄えのよいメッセージカードを贈答先に対して提供することができる。
【００８７】
・上記実施形態においては、発注書４０のメッセージカード部４２は、発注書部４５に対して、接続手段としての、ミシン目４７を介して接続されるようにした。これを、その他の接続手段により、接続されるようにしてもよい。例えば、その他の接着手段として、メッセージカード部４２と発注書部４５とを剥離可能に接着する接着剤を使用するようにしてもよい。また、接続手段として、クリップ等を用いるようにしてもよい。さらに、メッセージカード部４２と発注書部４５とが離間不能に接続されるようにしてもよい。そして、このような場合には、店舗において、はさみ等の切断手段により、発注書４０からメッセージカード部４２を切り取るようにしてもよい。
【００８８】
・上記実施形態においては、発注書４０は、メッセージカード部４２と発注書部４５とによって構成されるようにした。これを、メッセージカード部４２を含むものであれば、店舗の形態などによって、任意に変更するようにしてもよい。
【００８９】
・上記実施形態においては、発注書４０は、メッセージカード部４２と発注書部４５とが、同一平面上に位置するように並んで設けられるようにした。これを、メッセージカード部４２と発注書部４５とが、重ね合わされるようにして発注書４０を形成するようにしてもよい。そして、このような場合には、メッセージカード部４２と発注書部４５とが、お互いに離間可能に貼り合わされるようになっていてもよい。
【００９０】
また、メッセージカード部４２と発注書部４５とが、異なる材料により形成されるようにしてもよい。
・上記実施形態においては、発注書４０は、印刷手段としてのプリンタ１６を介して用紙Ｐ１上に印刷されるようにした。これを、印刷手段としてＦＡＸを介して用紙Ｐ１上に印刷されるようにしてもよい。そして、このような場合には、店舗は、店舗端末１３を備えないようにし、販売センタ１４と店舗のＦＡＸとが電話回線を介して接続されるようにしてもよい。そして、販売センタ１４において、商品情報及び発注書書式データとに基づいて画像データが作成され、作成された画像データが電話回線を介してＦＡＸに送信され、ＦＡＸから発注書４０が印刷されるようにしてもよい。
【００９１】
・上記実施形態においては、品物としてフラワーギフトに具体化して説明したが、発注主からの発注に基づいて、生産されるものであれば、その他のものに具体化してもよい。例えば、受注生産による家具や衣服、食品等でもよい。
【図面の簡単な説明】
【図１】本実施形態における印刷システムの概略構成図。
【図２】同じく、発注主端末の画面上におけるウェブページの説明図。
【図３】同じく、発注主端末の画面上におけるウェブページの説明図。
【図４】同じく、発注書の正面図。
【図５】別例における発注書の正面図。
【図６】別例における発注書の正面図。
【図７】別例における発注書の正面図。
【図８】別例における発注書の正面図。
【符号の説明】
Ｐ１…印刷媒体としての用紙、Ｐ２…区画印刷媒体としての用紙、１１…印刷システム、１２…発注主端末、１３…店舗端末、１５…管理コンピュータ、１５…印刷手段としてのプリンタ、４０，７０…発注書、４２…メッセージ情報印刷媒体としてのメッセージカード、４５…発注情報印刷媒体としての発注書部、４７…ミシン目、５３…折り目、５５…被覆手段としての被覆紙、６１，６２…ミシン目、６３，６４，６５，６６…印刷領域。
【図１】
2004291487.tif 000003
【図２】
2004291487.tif 000004
【図３】
2004291487.tif 000005
【図４】
2004291487.tif 000006
【図５】
2004291487.tif 000007
【図６】
2004291487.tif 000008
【図７】
2004291487.tif 000009
【図８】
2004291487.tif 000010